(57)【要約】【課題】薄型で横幅を小さくした照明器具を提供することを課題とする。【解決手段】照明器具１は、ＬＥＤモジュール１０（光源）と、電源ユニット２０と、光源配置部４１と反射面４３ａとケース部４１（側壁）を有する本体４０と、ケース部４１（側壁）の外面を覆うように本体４０に取付可能なカバー６０と、を備え、本体４０は、溝部４５と溝部４５内に配置される凸部４６とをケース部４１（側壁）の外面に有し、カバー６０は、溝部４５内に挿入可能な凸部６１（突出部）をカバー６０の内面に有し、カバー６０は、凸部６１（突出部）を溝部４５に挿入した状態で移動させて凸部４６を乗り越えさせることによって、本体４０に取り付けられるものである。【選択図】図２
2018125315.tif 000002
【特許請求の範囲】
【請求項１】
光源と、
前記光源に給電を行い前記光源を点灯させる電源ユニットと、
前記光源を配置する光源配置部と、反射面と、側壁と、を有する本体と、
前記側壁の外面を覆うように前記本体に取付可能なカバーと、
を備え、
前記本体は、溝部と、前記溝部内に配置される凸部と、を前記側壁の外面に有し、
前記カバーは、前記溝部内に挿入可能な突出部を前記カバーの内面に有し、
前記カバーは、前記突出部を前記溝部に挿入した状態で移動させて前記凸部を乗り越えさせることによって、前記本体に取り付けられる、
照明器具。
【請求項２】
前記側壁は、前記溝部を複数有する、
請求項１に記載の照明器具。
【請求項３】
前記カバーは、前記突出部を複数有する、
請求項２に記載の照明器具。
【請求項４】
前記凸部は、第一凸部と、第二凸部と、を有し、
前記第一凸部は、前記突出部が移動して前記カバーが前記本体に取り付けられるときに、前記第二凸部よりも先に前記突出部に乗り越えられる位置に設けられる、
請求項１から請求項３のいずれか一項に記載の照明器具。
【請求項５】
前記溝部は、前記側壁の下端側から上方に向かって形成される縦溝と、前記縦溝の上端側から側面に沿って連続して形成される横溝とを備え、
前記凸部は、前記横溝内に設けられる、
請求項１から請求項４のいずれか一項に記載の照明器具。
【発明の詳細な説明】
【技術分野】
【０００１】
本発明は、照明器具の技術に関する。
【背景技術】
【０００２】
従来、天井等の取付面に直付け型の照明器具（シーリングライト）に関する技術は種々知られている。一方、天井等の取付面の取付孔に埋め込まれるようにして配置された状態で使用される埋込型の照明器具に関する技術も種々知られている。
【０００３】
前記照明器具では、光源（例えば、ＬＥＤモジュール）と、光源に給電を行い光源を点灯させる電源ユニットと、光源から照射される光を反射する反射面を有する反射部と、を備える直付け型と埋込型の照明器具が公知となっている（特許文献１参照）。
【先行技術文献】
【特許文献】
【０００４】
【特許文献１】特開２０１０−１８２４３２号公報
【発明の概要】
【発明が解決しようとする課題】
【０００５】
ところで、照明器具の小型化、低背化への要望がある。例えば、照明器具の天井面への露出を控え、天井面をすっきりとした印象にしたい場合などである。前記照明器具のような埋込型の照明器具を用いれば、照明器具の天井面への露出を控えることは可能である。しかしながら、埋込型の照明器具の場合、天井面に取付孔を設ける必要があり、一度施工してしまうと照明器具の変更が困難となるという問題がある。
【０００６】
一方、直付け型の照明器具の場合には、天井等に取付孔を設ける必要は無く、埋込型の照明器具と比較して、取付や照明器具の変更は容易となる。しかしながら、前記照明器具の構造を直付け型の照明器具に採用すれば、前記照明器具では光源と電源ユニットとが上下方向に並べて配置されるため、前記照明器具の構造では照明器具の全体の厚みが厚くなることは避けがたい。
【０００７】
また、参考文献１において、照明器具を低背化するために反射面よりも外側に電源ユニットを配置した直付け型の照明器具が開示されている。このように反射面よりも外側に電源ユニットを配置する照明器具では、電源ユニットを配置するスペースを反射面の外側に要することから、照明器具の横幅が大きくなる、という問題があった。
【０００８】
本発明は以上の如き状況に鑑みてなされたものであり、薄型で横幅を小さくした照明器具を提供することを課題とする。
【課題を解決するための手段】
【０００９】
本発明の解決しようとする課題は以上の如くであり、次にこの課題を解決するための手段を説明する。
【００１０】
すなわち、本願に開示する照明器具は、光源と、前記光源に給電を行い前記光源を点灯させる電源ユニットと、前記光源を配置する光源配置部と、反射面と、側壁と、を有する本体と、前記側壁の外面を覆うように前記本体に取付可能なカバーと、を備え、前記本体は、溝部と、前記溝部内に配置される凸部と、を前記側壁の外面に有し、前記カバーは、前記溝部内に挿入可能な突出部を前記カバーの内面に有し、前記カバーは、前記突出部を前記溝部に挿入した状態で移動させて前記凸部を乗り越えさせることによって、前記本体に取り付けられる、ものである。
【００１１】
本願に開示する照明器具は、上記構成を基本として、以下のような態様をとることができる。
本願に開示する照明器具においては、前記側壁は、前記溝部を複数有する、ことが好ましい。
【００１２】
本願に開示する照明器具においては、前記カバーは、前記突出部を複数有する、ことが好ましい。
【００１３】
本願に開示する照明器具においては、前記凸部は、第一凸部と、第二凸部と、を有し、前記第一凸部は、前記突出部が移動して前記カバーが前記本体に取り付けられるときに、前記第二凸部よりも先に前記突出部に乗り越えられる位置に設けられる、ことが好ましい。
【００１４】
本願に開示する照明器具においては、前記溝部は、前記側壁の下端側から上方に向かって形成される縦溝と、前記縦溝の上端側から側面に沿って連続して形成される横溝とを備え、前記凸部は、前記横溝内に設けられる、ことが好ましい。
【発明の効果】
【００１５】
本発明の効果として、以下に示すような効果を奏する。
すなわち、本発明によれば、薄型で横幅を小さくした照明器具を提供することができる。
【図面の簡単な説明】
【００１６】
【図１】本発明の実施形態に係る照明器具の全体的な構成を示した模式図。
【図２】同じく照明器具の斜視図。
【図３】同じく照明器具の斜視図。
【図４】同じく照明器具の平面図。
【図５】同じく照明器具の図４に示すＡ−Ａ’断面図。
【図６】同じく照明器具の本体の底面図。
【図７】同じく照明器具の平面図。
【図８】同じく照明器具の本体の底面図。
【図９】同じく照明器具の本体の側面図。
【図１０】同じく照明器具のカバーの底面図。
【図１１】同じく照明器具のカバーの側面図。
【図１２】同じく照明器具の本体の図７に示すＢ−Ｂ’部分拡大図。
【図１３】同じく照明器具の本体の底面図。
【図１４】同じく照明器具の本体の側面図。
【図１５】同じく照明器具の本体の側面図。
【図１６】同じく照明器具の本体の図１２に示すＣ−Ｃ’部分拡大図、および、図１３に示すＤ−Ｄ’部分拡大図。
【図１７】同じく別実施例に係る照明器具の全体的な構成を示した模式図。
【発明を実施するための形態】
【００１７】
次に、本発明の実施の形態に係る照明器具１について説明する。
【００１８】
図１から図１７に記載の照明器具１について説明する。
照明器具１は、天井等の取付面に直付けされる直付け型のシーリングライトである。
なお以下において、照明器具１が取付面に取付けられた状態において、取付面に対して鉛直方向を照明器具１の上下方向として、照明器具１の光の照射方向を照明器具１の下方、その反対側を照明器具１の上方とし、照明器具１の上下方向に対して垂直方向を照明器具１の側方として説明する。また、図４については、照明器具１を上方から視た図である。図５については、図４に示すＡ−Ａ’線における断面図である。図６については、照明器具１の本体４０を下方から視た図である。図７については、照明器具１を上方から視た図である。図８については、照明器具１の本体４０を下方から視た図である。図９については、照明器具１の本体４０を側方から視た図である。図１０については、照明器具１のカバー６０を下方から視た図である。図１１については、照明器具１のカバー６０を側方から視た図である。図１３については、照明器具１の本体４０を下方から視た図である。図１４については、照明器具１の本体４０を側方から視た図である。図１５については、照明器具１の本体４０を側方から視た図である。
図１から図７に示すように、照明器具１は、ＬＥＤモジュール１０（光源）と、電源ユニット２０と、端子台３０と、本体４０と、拡散板５０と、カバー６０と、を備える。
【００１９】
ＬＥＤモジュール１０は、光源としてのＬＥＤ（発光ダイオード）が回路基板に配置された、照明器具１の光源部である。本実施の形態では、一例として、回路基板上に直接ＬＥＤ素子と黄色蛍光体とを形成したＣＯＢ（ｃｈｉｐ  ｏｎ  ｂｏａｒｄ）タイプのものを採用した。なお、光源はＣＯＢタイプのＬＥＤだけでなく、ＳＭＤ（表面実装タイプ）のＬＥＤや、有機ＥＬ素子などを用いても良い。ＬＥＤモジュール１０は、本体４０に取付けられる。
【００２０】
電源ユニット２０は、光源に給電し点灯させる回路部２６と、回路部２６を収納する電源ケース２１とを備える。回路部２６は、ＬＥＤモジュール１０と、電線（不図示）によって電気的に接続される。すなわち、電源ユニット２０は、電線を介してＬＥＤモジュール１０に給電を行い、ＬＥＤモジュール１０を点灯させる。電源ユニット２０は、本体４０に取付けられる。
【００２１】
電源ケース２１は、本体４０と組み合わせて回路部２６を収納する。電源ケース２１は、ネジ２２によって本体４０に固定される。
【００２２】
端子台３０は、照明器具１が取付面に取付けられた状態で外部電源の配線に設けられた端子が挿入されて電気的に接続され、電源ユニット２０に給電を行う。端子台３０は、本体４０に取付けられる。
【００２３】
本体４０は、皿状に構成される。本体４０は、光源を配置する光源配置部４２と、反射部４３とを備える。本実施形態では、光源配置部４２は平円板状に形成される。反射部４３は、光源配置部４２の周囲に形成され、光源からの光を反射し、所望の配光を得られるような曲面（反射面４３ａ）を有する。本実施形態では、反射部４３は、上方（光源配置部４２側）から下方に向かって傾斜した末広形状（テーパ状）の傾斜板状に形成される部分と、前記傾斜板状の外側端部から連続してさらに外側に延出する平板状（傾斜しない）で略円環状に形成される部分とを有する。さらに、本体４０は光源配置部４２と反射部４３とを囲む側壁（以下、ケース部４１）を備える。本実施形態では、ケース部４１は円筒状に形成される。本体４０は、ケース部４１の下端付近と反射部４３の下端とが連接する形状に形成される。なお、本実施形態の本体４０は、底面形状を円形状に形成するが、これに限らず、角状、半円状、扇状、楕円形状、又はこれらの組み合わせからなる形状など用途に合わせて適宜選択すればよい。
【００２４】
反射面４３ａは、反射部４３における傾斜板状の部分の下面で構成される。図６または図７に示すハッチング部分（領域Ａ）は、反射面４３ａの領域を示す。
【００２５】
光源配置部４２は、光源配置部４２の下面にＬＥＤモジュール１０が配置される。光源配置部４２は、反射部４３の上端部に配置される。光源配置部４２は、ケース部４１の内側に配置される。光源配置部４２は、ケース部４１（本体４０）の直径方向中央に配置される。
【００２６】
拡散板５０は、ＬＥＤモジュール１０のＬＥＤから照射される光を拡散する。拡散板５０は、円板状の部材であり、微細な凹凸を表面に形成したシボ加工（フロスト加工）を施したもの、あるいは、内部に拡散剤を混入させたもので構成される。拡散板５０は、本体４０の下方の開口を閉口するように、ケース部４１の下方に配置される。
【００２７】
カバー６０は、ケース部４１の外側（本体４０の半径方向外側）を覆う。カバー６０は、上端および下端において開口した略円筒状に構成される。カバー６０は、本体４０の下方側から本体４０に嵌挿されるようにして取付けられて、拡散板５０を支持する。カバー６０は、例えば、ＡＢＳ樹脂（Ａｃｒｙｌｏｎｉｔｒｉｌｅ−Ｂｕｔａｄｉｅｎｅ−Ｓｔｙｒｅｎｅ）で形成する。しかしながら、これに限らず、ＡＢＳ樹脂以外の樹脂や、木材、金属など必要に応じて適宜素材を選択すればよい。
【００２８】
ＬＥＤモジュール１０は、本体４０の下方の開口（ケース部４１の下方）から本体４０の外側に突出しないように配置される。電源ユニット２０と端子台３０とは、本体４０の上方の開口（ケース部４１の上方）から本体４０の外側に突出しないように配置される。電源ユニット２０と端子台３０とは、反射部４３の上方（本体４０においてＬＥＤモジュール１０が配置される側と反対側）に配置される。すなわち、電源ユニット２０と端子台３０とは、反射部４３の上面に載置される。電源ユニット２０と端子台３０とは、反射面４３ａの反対側の面に、少なくともその一部が載置される。電源ユニット２０と端子台３０とは、側方に並べて配置される。ＬＥＤモジュール１０と電源ユニット２０と端子台３０とは、側方から視て重なる位置に配置される（図１参照）。
なお、反射面４３ａの反対側の面とは、反射部４３の上面のうち反射面４３ａの領域（領域Ａ）の上方の部分（上方から視て反射部４３の上面のうち反射面４３ａの領域と重なる部分）を示す。本実施形態において、反射面４３ａの反対側の面は、反射部４３における傾斜板状の部分の上面と略円環状で平板状の部分の上面の一部（平板状の部分の内側部分）と、で構成される。
【００２９】
以上のように、本実施形態の照明器具１では、反射面４３ａの反対側の面に電源ユニット２０が載置される。そのため、照明器具１によれば、ＬＥＤモジュール１０（光源）と電源ユニット２０とが上下方向に並べて配置されるものに比べて、照明器具１を薄型にすることができる。また、照明器具１によれば、反射面４３ａよりも外側に電源ユニット２０が配置されるものに比べて、横幅を小さくすることができる。
なお、照明器具１の横幅を小さく構成する場合は、上方から視て、電源ユニット２０および端子台３０における反射面４３ａの反対側の面と重なる部分の面積が、電源ユニット２０と端子台３０における反射面４３ａの反対側の面と重ならない部分の面積以上であることが好ましい。
【００３０】
また以上のように、本実施形態の照明器具１では、ＬＥＤモジュール１０と電源ユニット２０と端子台３０とが側方から視て重なる位置に配置される。そのため、ＬＥＤモジュール１０（光源）と電源ユニット２０と端子台３０とが上下方向に並べて配置されるものに比べて、照明器具１を薄型にすることができる。照明器具１では、例えば、照明器具１の厚みを３０ｍｍ以下に構成することができる。
【００３１】
本実施形態において、電源ユニット２０と端子台３０は、本体４０の反射面４３ａの反対側の面（ケース部４１と反射部４３とで形成される空間の内側）に収納される（図２参照）。電源ユニット２０と端子台３０とは、本体４０から側方に突出しない位置に（ケース部４１の内側）に配置される。
【００３２】
以上のように、本実施形態の照明器具１では、電源ユニット２０と端子台３０とは、ケース部４１の内側に配置されて、本体４０から側方に突出しない位置に配置される。そのため、電源ユニット２０と端子台３０とが本体４０から側方に突出する位置に配置されるものに比べて、照明器具１を小型にすることができる。
【００３３】
ケース部４１は、反射部４３と連接される。反射部４３は、光源配置部４２と連接される。ケース部４１と反射部４３と光源配置部４２とが一体的に構成される。
【００３４】
以上のように、本実施形態の照明器具１では、ケース部４１と光源配置部４２と反射部４３とが一体的に構成される。したがって、照明器具１では、ケース部４１と光源配置部４２と反射部４３とが別部品で構成されるものに比べて、部品点数を削減するとともに組立工数を削減することができる。
【００３５】
本体４０は、熱伝導率の高い、例えば金属材料で構成される。本体４０は、放熱性を有する。本体４０は、本実施形態では一例としてアルミニウム合金で構成し、ＬＥＤモジュール１０および電源ユニット２０から生ずる熱を放熱する。本実施形態の本体４０は反射板であるとともに、放熱機能も備える。そのため、新たに放熱板を用いる必要がなく、薄型で横幅を小さくした照明器具を実現できる。また、本実施形態の本体４０は側壁（ケース部４１）を有する。そのため、本体４０は側壁（ケース部４１）を有さないものに比べて、本体４０の放熱性能を向上させることができ、また、強度を向上させることができる。
【００３６】
ＬＥＤモジュール１０は、本体４０（ケース部４１）の直径方向中央に配置される。ＬＥＤモジュール１０は、本体４０（ケース部４１）の軸心と交差して配置される。電源ユニット２０と端子台３０は、本体４０（ケース部４１）の直径方向中央から側方に外れてケース部４１側に配置される。電源ユニット２０と端子台３０は、本体４０（ケース部４１）の軸心と交差しないように配置される。ＬＥＤモジュール１０と電源ユニット２０と端子台３０とは、上方から視て重ならない位置に配置される（図４参照）。
【００３７】
以上のように、本実施形態の照明器具１では、ＬＥＤモジュール１０と電源ユニット２０と端子台３０とは光の照射方向において重ならない位置に配置される。そのため、ＬＥＤモジュール１０と電源ユニット２０と端子台３０とが上方から視て重なる位置に配置されるものに比べて、照明器具１の全体の厚みが厚くなることを抑制しつつ、電源ユニット２０および端子台３０を本体４０のＬＥＤモジュール１０から生じる熱によって最も高温となる部分を避けて配置することができる。
したがって、照明器具１によれば、ＬＥＤモジュール１０と電源ユニット２０と端子台３０とが上方から視て重なる位置に配置されるものに比べて、照明器具１の全体の厚みが厚くなることを抑制しつつ、ＬＥＤモジュール１０（ＬＥＤ）から生じる熱によって電源ユニット２０または端子台３０が受ける影響を軽減することができる。
【００３８】
また、電源ユニット２０と端子台３０とは、光源配置部４２におけるＬＥＤモジュール１０が配置される部分の裏面（上面）以外の部分に配置される（図４参照）。
【００３９】
以上のように、本実施形態の照明器具１では、電源ユニット２０と端子台３０とは光源配置部４２におけるＬＥＤモジュール１０が配置される部分の裏面（上面）以外の部分に配置される。したがって、電源ユニット２０と端子台３０とが光源配置部４２におけるＬＥＤモジュール１０が配置される部分の裏面に配置されるものに比べて、本体４０におけるＬＥＤモジュール１０から生じる熱の放熱性を向上させることができる。
【００４０】
本実施形態の拡散板５０は、下面が凸状に構成される。本実施形態の拡散板５０は、中央部が厚く且つ外側部が薄く構成される。拡散板５０は、ＬＥＤモジュール１０の下方に位置する部分が他の部分に比べて厚く構成される。拡散板５０は、上方から視てＬＥＤモジュール１０と重なる部分の厚みが厚く、且つ、上方から視てＬＥＤモジュール１０と重ならない部分の厚みが薄く構成される。拡散板５０は、その厚みにおいて、ＬＥＤモジュール１０と対向する面（ＬＥＤモジュール１０側に位置する面）のうち少なくともＬＥＤモジュール１０の直下に位置する部分がそれ以外の部分よりも厚く形成される。
【００４１】
以上のように、本実施形態の照明器具１では、拡散板５０は、その厚みにおいて、ＬＥＤモジュール１０と対向する面のうち少なくともＬＥＤモジュール１０の直下に位置する部分がそれ以外の部分よりも厚く形成される。そのため、照明器具１では、ＬＥＤモジュール１０に拡散板５０をより近接させて配置しても、拡散板５０を介してＬＥＤが発光する光を見たときに、当該ＬＥＤの光が点状に見えることを防止することができる。また、本実施形態のような拡散板５０の形状を採用すれば、ＬＥＤモジュール１０に拡散板５０をより近接させて配置しても、ＬＥＤが消灯しているときに外部から拡散板５０を通してＬＥＤを見えにくくすることができる。
また、通常、拡散板の厚さが厚いほど拡散効率は高まるが、光量の損失も増大させてしまう。本実施形態のような拡散板５０の形状を採用すれば、上方から視てＬＥＤモジュール１０と重ならない部分の厚みが薄いため、ＬＥＤモジュール１０と重ならない部分における光量損失を抑えることができるので、ＬＥＤが発光する光の光量を確保することができる。したがって、照明器具１によれば、拡散板５０が光の照射方向においてＬＥＤモジュール１０と重なる部分の厚みが薄く構成されるものに比べて、ＬＥＤモジュール１０に拡散板５０をより近接させて配置することができ、照明器具１の全体の厚みを薄く（照明器具１の高さを低く）構成することができる。なお、拡散板５０は、上面を凸状に構成するものでもよく、また、上面および下面をそれぞれ凸状に構成するものでもよい。
【００４２】
本体４０（ケース部４１）の外径は、拡散板５０の外径よりも大きい。本体４０（ケース部４１）の下端部の外径は、拡散板５０の外径よりも大きい。拡散板５０の上面は、本体４０の下端部に当接する。拡散板５０の側方は、本体４０の下端部に囲まれる（図５参照）。
【００４３】
以上のように、本実施形態の照明器具１では、本体４０の外径は拡散板５０の外径よりも大きい。したがって、照明器具１では、拡散板５０の側方を本体４０の下端部で囲むことができ、光が、拡散板５０の側方から本体４０とカバー６０との間を通って取付面側（例えば、天井側）に漏れることを抑制することができる。
【００４４】
端子台３０は、本体４０の直径方向中央から側方に外れて配置される。端子台３０は、端子台３０の端子挿入部３１を本体４０の中央側（光源配置部４２側）に向けて配置される。端子挿入部３１は、端子台３０における外部電源の配線の端子が挿入される部分である。
【００４５】
以上のように、本実施形態の照明器具１では、端子挿入部３１を本体４０の中央側に向けて端子台３０が配置される。したがって、端子挿入部３１を本体４０の中央側に向けていないものに比べて、ケース部４１内における端子を挿入する作業空間を広くすることができ、外部電源の配線の端子を端子挿入部３１に挿入する作業を容易に行うことができる。
【００４６】
端子台３０は、反射部４３の上方に配置されて、本体４０の軸心に対して傾斜して配置される。端子台３０は、端子挿入部３１側を上方に向け、端子挿入部３１と反対側を下方に向けて、傾斜させて配置される。
【００４７】
以上のように、本実施形態の照明器具１では、端子挿入部３１を上方に傾斜させて端子台３０が配置される。したがって、端子挿入部３１を上方に傾斜させて配置されないものに比べて、外部電源の配線の端子を端子挿入部３１に挿入する作業を容易に行うことができる。
【００４８】
本体４０は貫通孔４４を備える。貫通孔４４は、反射部４３を貫通する。貫通孔４４は、ＬＥＤモジュール１０と電源ユニット２０とを接続する電線（不図示）が挿通される。
貫通孔４４は、光源配置部４２の近傍（反射部４３における本体４０の中央側）に設けられる。貫通孔４４は、電源ケース２１で覆われる位置に形成することが好ましい。このように、貫通孔４４が電源ケース２１で覆われる位置に形成されることにより、ＬＥＤモジュール１０と電源ユニット２０とを接続する電線を貫通孔４４に挿通する作業を容易に行うことができるようになり、照明器具１の組み立て作業を簡便に行うことができる。
【００４９】
電源ユニット２０は、本体４０においてＬＥＤモジュール１０が配置される側と反対側（反射部４３の上方）に配置される。電源ケース２１は、天板２３と三つの側板２４・２４・２４とを備え、天板２３と三つの側板２４とは、それぞれ連接される。電源ケース２１は、天板２３と三つの側板２４とで電源回路を覆う。電源回路は、ケース部４１の内面の一部と反射部４３の一部と天板２３と三つの側板２４とで囲まれる。三つの側板２４のうちＬＥＤモジュール１０側に配置される側板２４（以下「光源側側板２４ａ」という）は、反射部４３側の端部（下端部）が傾斜面で構成される。光源側側板２４ａは、折り曲げ加工して反射部４３側の端部が光源側に屈曲して広がるように形成する。これにより、電源ケース２１内の内部のスペースを増やすとともに、貫通孔４４をより本体４０の中央側に設けることができる。貫通孔４４を本体４０の中央側に設けることで、ＬＥＤモジュール１０と電源ユニット２０を接続する電線は、本体４０と拡散板５０とで囲まれる空間の内の高さが確保できる部分を通ることとなる。これにより電線の拡散板５０への映りこみを回避するとともに、電線の長さを最小に設定することができる。
【００５０】
電源ケース２１の上端（天板２３）は、本体４０（ケース部４１）の上端と略面一また面一となる。電源ケース２１は、折り曲げ加工して段差部２５を設ける。
【００５１】
段差部２５は、天板２３に配置される。段差部２５は、その一部がケース部４１の上端に当接し、ネジ２２によって固定される。段差部２５は、天板２３の上端よりも低い段差状に構成される。段差部２５は、天板２３の端部を下方に折り曲げ、さらに側方に折り曲げて構成される。段差部２５は、本体４０または天板２３よりも外側（上方）に突出しないようにネジ２２の頭部を配置する。段差部２５の横幅は、ネジ２２の頭部の幅よりも大きい。段差部２５の深さは、ネジ２２の頭部の高さよりも深い。
【００５２】
以上のように、本実施形態の照明器具１では、本体４０よりも外側（上方）に突出しないようにネジ２２の頭部を配置する段差部２５を電源ケース２１が備える。そのため、段差部２５にネジ２２の頭部が配置され、電源ケース２１内の容積が小さくなることを抑制しつつ、ネジ２２の頭部が本体４０よりも外側（上方）に突出することを防止することができる。したがって、照明器具１によれば、電源ケース２１が段差部２５を備えないものに比べて、照明器具１の全体の厚みを薄く（照明器具１の高さを低く）構成することができる。
【００５３】
図５、または、図８から図１１に示すように、カバー６０は、複数個（四個）の凸部６１・６１・・を備え、本体４０は、複数個（四個）の溝部４５・４５・・と複数個（四個）の凸部４６・４６・・とを備える。
【００５４】
凸部６１は、カバー６０の下端部に配置される。凸部６１は、カバー６０の軸心を中心にして中心角が９０度ごとに配置される。凸部６１は、カバー６０の内面からカバー６０の軸心方向に突出する。凸部６１は、半球状に構成される。
【００５５】
本体４０の溝部４５は、ケース部４１の下端部の外面に配置される。本体４０の溝部４５は、本体４０（ケース部４１）の軸心を中心にして中心角が９０度ごとに配置される。溝部４５は、溝部４５内に凸部６１を配置可能な溝状に構成される。
【００５６】
溝部４５は、縦溝４５ａと、横溝４５ｂと、を備える。縦溝４５ａは、ケース部４１の下端から上方に、ケースの外面を切欠くように形成される。縦溝４５ａの幅は、凸部６１の幅より大きく形成される。縦溝４５ａの深さは、凸部６１の高さよりも深く形成される。
横溝４５ｂは、縦溝４５ａに連続して形成される。横溝４５ｂは、縦溝４５ａの上端からケース部４１の側面に沿って、下方から視て時計回りに中心角略３０度分、ケース部４１の外面を切欠くように形成される。横溝４５ｂの幅は、凸部６１の幅より大きく形成される。横溝４５ｂの深さは、凸部６１の高さよりも深く形成される。
【００５７】
凸部４６は、横溝４５ｂ内に配置される。凸部４６は、横溝４５ｂに配置される。凸部４６は、横溝４５ｂの溝底から外側（カバー６０の軸心方向と反対側）に突出する。凸部４６は、半球状に構成される。
【００５８】
カバー６０と本体４０とが嵌合することによって、カバー６０は本体４０に取付けられる。図１２（ａ）に示すように、カバー６０の軸心と本体４０の軸心とを概ね一致させ、凸部６１を縦溝４５ａ内に位置させる。カバー６０を上方に移動させて、縦溝４５ａ内において凸部６１を上方に移動させる。次に、図１２（ｂ）に示すように、カバー６０を回転（下方から視て時計回りに回転）させて、横溝４５ｂ内において凸部６１を移動させていく。次に、図１２（ｃ）または図１２（ｄ）に示すように、さらに、カバー６０を回転させて、凸部４６に当接する凸部６１が凸部４６を超えるまで、横溝４５ｂ内において凸部６１を移動させる。このように、凸部６１が凸部４６を超えることによって、カバー６０と本体４０とが嵌合し、カバー６０は本体４０に取付けられる。
【００５９】
以上のように、本実施形態の照明器具１では、カバー６０と本体４０とが嵌合することによってカバー６０は本体４０に取付けられる。そのため、カバー６０を本体４０に取付ける構造を、本体４０とカバー６０とに形成されるネジ山とネジ溝が形成されて螺合することによってカバー６０が本体４０に取付けられるものに比べて、短い距離（高さ方向に短い距離）で実現することができる。したがって、ネジ山とネジ溝を螺合することによってカバー６０が本体４０に取付けられるものに比べて、照明器具１の全体の厚みを薄く（照明器具１の高さを低く）構成することができる。
【００６０】
また、図１３から図１５に示すように、凸部４６は、複数個（二個）の第一凸部４６ａ・４６ａと、複数個（二個）の第二凸部４６ｂ・４６ｂとからなる構成とすることもできる。第一凸部４６ａと第二凸部４６ｂとは、互いに隣り合うように、配置される。二個の第一凸部４６ａは、本体４０の軸心を中心にしてそれぞれ対向して配置される。二個の第二凸部４６ｂは、本体４０の軸心を中心にしてそれぞれ対向して配置される。第一凸部４６ａは、カバー６０を本体４０に取付けるにあたってカバー６０を下方から視て時計回りに回転させたときに、第二凸部４６ｂよりも先に凸部４６に当接する。第二凸部４６ｂは、カバー６０と本体４０に取付けるにあたってカバー６０を下方から視て時計回りに回転させたときに、第一凸部４６ａよりも後に凸部４６に当接する。第一凸部４６ａは、カバー６０を本体４０に取付けるときのカバー６０の回転方向において、第二凸部４６ｂよりも上流側に配置される。
【００６１】
複数段階（二段階）においてカバー６０と本体４０とが嵌合することによって、カバー６０は本体４０に取付けられる。図１６（ａ）に示すように、カバー６０の軸心と本体４０の軸心とを概ね一致させ、凸部６１を縦溝４５ａ内に位置位せる。カバー６０を上方に移動させて、縦溝４５ａ内において凸部６１を上方に移動させる。次に、図１６（ｂ）に示すように、カバー６０を下方から視て時計回りに回転させて、横溝４５ｂ内において凸部６１を移動させていく。次に、図１６（ｂ）または図１６（ｃ）に示すように、さらに、カバー６０を回転させて、第一凸部４６ａに当接する凸部６１が第一凸部４６ａを超えるまで、横溝４５ｂ内において凸部６１を移動させる。次に、図１６（ｃ）または図１６（ｄ）に示すように、さらに、カバー６０を回転させて、第二凸部４６ｂに当接する凸部６１が第二凸部４６ｂを超えるまで、横溝４５ｂ内において凸部６１を移動させる。このように、凸部６１が第一凸部４６ａと第二凸部４６ｂを超えることによって、複数段階（二段階）においてカバー６０と本体４０とが嵌合して、カバー６０は本体４０に取付けられる。
【００６２】
以上のように、照明器具１では、複数段階（二段階）においてカバー６０と本体４０とが嵌合することによって、カバー６０は本体４０に取付けられる。したがって、ネジ山とネジ溝を螺合することによってカバー６０が本体４０に取付けられるものに比べて照明器具１の全体の厚みを薄く（照明器具１の高さを低く）構成するとともに、本体４０からカバー６０が脱落することを防止することができる。
【００６３】
本実施形態では、天井直付け型の照明器具１を説明したが、これに限らず、埋込型の照明器具に本発明の構成を採用することもできる（図１７参照）。このように埋込型の照明器具に本発明の構成を採用した場合には、薄型で横幅を小さくすることができるため、取付孔Ｈ内における配置空間が狭い場合であっても照明器具１を設置することができ、また、取付孔Ｈの開口の大きさを小さくすることができる。また、本実施形態のように端子台を用いず、引掛けシーリングなどの配線部品を用いても良い。
【符号の説明】
【００６４】
１  照明器具
１０  ＬＥＤモジュール（光源）
２０  電源ユニット
２１  電源ケース
２２  ネジ
３０  端子台
４０  本体
４１  ケース部（側壁）
４２  光源配置部
４３  反射部
４３ａ  反射面
４４  貫通孔
５０  拡散板
６０  カバー
【図１】
2018125315.tif 000003
【図２】
2018125315.tif 000004
【図３】
2018125315.tif 000005
【図４】
2018125315.tif 000006
【図５】
2018125315.tif 000007
【図６】
2018125315.tif 000008
【図７】
2018125315.tif 000009
【図８】
2018125315.tif 000010
【図９】
2018125315.tif 000011
【図１０】
2018125315.tif 000012
【図１１】
2018125315.tif 000013
【図１２】
2018125315.tif 000014
【図１３】
2018125315.tif 000015
【図１４】
2018125315.tif 000016
【図１５】
2018125315.tif 000017
【図１６】
2018125315.tif 000018
【図１７】
2018125315.tif 000019